(57)【要約】【課題】光源が点滅し続ける可能性を低減する。【解決手段】光電変換部２は、受光量が大きいほど大きい電気量を生じる。制御部３は、強制点灯モードでは、電気量の大きさに関係なく光源７を点灯させ続ける。制御部３は、通常モードでの動作中において、電気量が点灯閾値を下回った場合に、消灯している光源７を点灯させた後、光源７の明るさを変化させる明るさ制御を行い、電気量の変化が明るさ制御に追随していると判定すると、通常モードから強制点灯モードに切り替え、電気量の変化が明るさ制御に追随していると判定しない場合は、光源７を所定の明るさで点灯した状態にする。【選択図】図１
2019032981.tif 000002
【特許請求の範囲】
【請求項１】
電源から光源に供給される電力を制御することにより、前記光源の明るさを制御する制御部と、
外部からの光を受光し、受光量が大きいほど大きい電気量を生じ、前記電気量を有する検出信号を前記制御部に出力する光電変換部と、を備え、
前記制御部は、
前記電気量が点灯閾値を下回ったときに前記光源を点灯させ、前記電気量が前記点灯閾値以上の値である消灯閾値を上回ったときに前記光源を消灯させる通常モードと、
前記電気量の大きさに関係なく前記光源を点灯させ続ける強制点灯モードと、を切り替えて動作し、
前記制御部は、前記通常モードでの動作中において、前記電気量が前記点灯閾値を下回った場合に、消灯している前記光源を点灯させた後、前記光源の明るさを変化させる明るさ制御を行い、前記電気量の変化が前記明るさ制御に追随していると判定すると、前記通常モードから前記強制点灯モードに切り替え、前記電気量の変化が前記明るさ制御に追随していると判定しない場合は、前記光源を所定の明るさで点灯した状態にする
ことを特徴とする点灯装置。
【請求項２】
前記制御部は、前記明るさ制御において、前記光源の明るさを単調に増加させることを特徴とする請求項１記載の点灯装置。
【請求項３】
前記制御部は、前記明るさ制御において、前記光源の明るさを段階的に変化させ、最終的に前記光源を規定の明るさで点灯した状態にすることを特徴とする請求項１記載の点灯装置。
【請求項４】
前記消灯閾値は、前記点灯閾値よりも大きく、
前記制御部は、前記通常モードでの動作中において、
前記明るさ制御において前記光源の明るさを単調に増加させる間に前記光電変換部で生じる前記電気量としての第一の電気量と、前記第一の電気量よりも後に前記光電変換部で生じる前記電気量としての第二の電気量と、を前記検出信号から取得し、
前記第二の電気量から前記第一の電気量を引いた値が、零以下の場合は、前記通常モードから前記強制点灯モードに切り替えない
ことを特徴とする請求項２記載の点灯装置。
【請求項５】
前記消灯閾値は、前記点灯閾値よりも大きく、
前記制御部は、前記通常モードでの動作中において、
前記明るさ制御において前記光源の明るさを単調に増加させる間に前記光電変換部で生じる前記電気量としての第一の電気量と、前記第一の電気量よりも後に前記光電変換部で生じる前記電気量としての第二の電気量と、を前記検出信号から取得し、
前記第二の電気量から前記第一の電気量を引いた値が、前記消灯閾値から前記点灯閾値を引いた値以上の場合は、前記通常モードから前記強制点灯モードに切り替えない
ことを特徴とする請求項２又は４に記載の点灯装置。
【請求項６】
前記制御部は、コンピュータを含み、
前記コンピュータは、
前記コンピュータを前記制御部として機能させるためのプログラムを実行するプロセッサと、
前記プログラムを記憶するメモリと、
外部からの信号の入力を受け付ける通信部と、を有する
ことを特徴とする請求項１〜５のいずれか一項に記載の点灯装置。
【請求項７】
請求項１〜６のいずれか一項に記載の点灯装置と、
前記点灯装置を収容する器具本体と、
を備えることを特徴とする照明器具。
【請求項８】
コンピュータを請求項１〜６のいずれか一項に記載の前記制御部として機能させるためのプログラム。
【発明の詳細な説明】
【技術分野】
【０００１】
本発明は点灯装置、照明器具及びプログラムに関し、より詳細には、光源の点灯及び消灯を制御する点灯装置、この点灯装置を備える照明器具、及びプログラムに関する。
【背景技術】
【０００２】
従来例として、特許文献１記載の照明装置を例示する。特許文献１記載の照明装置は、複数のＬＥＤ素子を有する発光モジュール（光源）と、発光モジュールに給電する電源部と、照明装置の周囲の明るさを検出する照度センサ（光電変換部）とを有している。電源部は、照度センサの検出値と閾値との比較結果に応じて、発光モジュールの点灯及び消灯を制御する制御部を有している。制御部は、ＬＥＤ素子の消灯時か点灯時かに応じて閾値を変更する。照度センサの検出値が消灯後の閾値を下回ると、制御部は発光モジュールを点灯させる。照度センサの検出値が点灯後の閾値を上回ると、制御部は発光モジュールを消灯させる。
【先行技術文献】
【特許文献】
【０００３】
【特許文献１】特開２０１３−２０１０１０号公報
【発明の概要】
【発明が解決しようとする課題】
【０００４】
しかしながら、特許文献１記載の照明装置では、周囲環境等によって発光モジュールが点滅し続けることがある。すなわち、照明装置に雪が付着した場合等には、点灯した発光モジュールからの光の一部が乱反射して照度センサで受光されることがある。これにより、周囲が暗い場合であっても照度センサの検出値が点灯後の閾値を上回り、発光モジュールが消灯することがある。さらに、発光モジュールが消灯すると照度センサの受光量が減少するので、照度センサの検出値が消灯後の閾値を下回り、発光モジュールが点灯することがある。このようにして、発光モジュールが点滅し続けることがある。
【０００５】
本発明は、光源が点滅し続ける可能性を低減することができる点灯装置、照明器具及びプログラムを提供することを目的とする。
【課題を解決するための手段】
【０００６】
上記の課題を解決するために、本発明の一態様に係る点灯装置は、制御部と、光電変換部と、を備える。前記制御部は、電源から光源に供給される電力を制御することにより、前記光源の明るさを制御する。前記光電変換部は、外部からの光を受光し、受光量が大きいほど大きい電気量を生じる。前記光電変換部は、前記電気量を有する検出信号を前記制御部に出力する。前記制御部は、通常モードと、強制点灯モードと、を切り替えて動作する。前記制御部は、前記通常モードでは、前記電気量が点灯閾値を下回ったときに前記光源を点灯させ、前記電気量が消灯閾値を上回ったときに前記光源を消灯させる。前記消灯閾値は、前記点灯閾値以上の値である。前記制御部は、前記強制点灯モードでは、前記電気量の大きさに関係なく前記光源を点灯させ続ける。前記制御部は、前記通常モードでの動作中において、前記電気量が前記点灯閾値を下回った場合に、消灯している前記光源を点灯させた後、前記光源の明るさを変化させる明るさ制御を行い、前記電気量の変化が前記明るさ制御に追随していると判定すると、前記通常モードから前記強制点灯モードに切り替え、前記電気量の変化が前記明るさ制御に追随していると判定しない場合は、前記光源を所定の明るさで点灯した状態にする。
【０００７】
本発明の一態様に係る照明器具は、点灯装置と、前記点灯装置を収容する器具本体と、を備える。
【０００８】
本発明の一態様に係るプログラムは、コンピュータを前記制御部として機能させる。
【発明の効果】
【０００９】
本発明の一態様に係る点灯装置、照明器具及びプログラムは、光源が点滅し続ける可能性を低減することができる。
【図面の簡単な説明】
【００１０】
【図１】図１は、一実施形態に係る照明器具のブロック図である。
【図２】図２は、同上の照明器具の斜視図である。
【図３】図３は、同上の照明器具の点灯装置の動作を示すフローチャートである。
【図４】図４は、同上の点灯装置の動作例を示すタイムチャートである。
【図５】図５は、同上の点灯装置の別の動作例を示すタイムチャートである。
【図６】図６は、同上の点灯装置の更に別の動作例を示すタイムチャートである。
【図７】図７は、同上の点灯装置の更に別の動作例を示すタイムチャートである。
【図８】図８は、同上の点灯装置の更に別の動作例を示すタイムチャートである。
【発明を実施するための形態】
【００１１】
（実施形態）
以下、実施形態に係る点灯装置、照明器具及びプログラムについて、図面を用いて説明する。ただし、以下に説明する実施形態は、本発明の様々な実施形態の一部に過ぎない。下記の実施形態は、本発明の目的を達成できれば、設計等に応じて種々の変更が可能である。
【００１２】
本実施形態の照明器具１０は、図１に示すように、点灯装置１と、器具本体８（図２参照）と、を備えている。点灯装置１は、光源７を更に備えている。点灯装置１は、光電変換部２と、制御部３と、フィルタ回路４と、整流回路５と、電源部６と、を備えている。照明器具１０は、いわゆる防犯灯であり、例えば、地面に立てられる支柱５０（電力柱又は鋼管ポール：図２参照）に取り付けられる。ただし、照明器具１０は防犯灯に限定されず、防犯灯以外の照明器具、例えば、道路灯又は街路灯等であってもよい。また、照明器具１０は、建物の外壁等に取り付けられてもよい。
【００１３】
照明器具１０は、光電変換部２により照明器具１０の周囲の明るさを検出し、周囲が明るいときは光源７を消灯させ、周囲が暗いときは光源７を点灯させるように構成されている。
【００１４】
フィルタ回路４は、外部電源２０（電源：例えば、商用電源）より入力された交流電力からノイズ等の不要な周波数成分を除去する。
【００１５】
整流回路５は、フィルタ回路４を介して入力された交流電圧を全波整流して生成した直流電圧を、電源部６に出力する。整流回路５は、例えば、ダイオードブリッジで構成されている。なお、整流回路５は、交流電圧を半波整流する回路であってもよい。
【００１６】
電源部６は、外部電源２０から、フィルタ回路４及び整流回路５を介して供給される電力を、制御部３の指示に従って光源７に供給する。電源部６は、例えば、降圧チョッパ回路と、電源制御回路とを有している。なお、電源部６は、降圧チョッパ回路に代えて昇降圧チョッパ回路を有していてもよいし、降圧チョッパ回路に加えて昇圧チョッパ回路を更に有していてもよい。
【００１７】
電源部６の降圧チョッパ回路は、整流回路５から入力される直流電圧を、光源７の定格電圧以下の直流電圧に降圧し、光源７に出力する。降圧チョッパ回路が光源７に直流電圧を印加することで、光源７が点灯する。電源制御回路は、制御部３から入力される調光信号Ｓｉｇ１が示す指示に従って、降圧チョッパ回路が有する半導体スイッチング素子をスイッチング制御することにより、降圧チョッパ回路から光源７に流れる電流を定電流化する。なお、電源部６は、降圧チョッパ回路のようなスイッチングレギュレータに代えて、シリーズレギュレータにより、降圧チョッパ回路から光源７に流れる電流を定電流化又は定電圧化してもよい。
【００１８】
光源７は、複数（８個。図１では３個のみを図示）のＬＥＤ（Light Emitting Diode）素子７０の直列回路を有している。ただし、光源７を構成するＬＥＤ素子７０の個数は８個に限定されず、１〜７個又は９個以上であってもよい。また、複数のＬＥＤ素子７０は、並列又は直並列に接続されていてもよい。また、光源７は、ＬＥＤ素子７０に代えて、有機エレクトロルミネッセンス素子又はレーザーダイオード、あるいは蛍光ランプ等の放電ランプを有していてもよい。
【００１９】
光電変換部２は、例えば、フォトダイオード２１と、抵抗２２とを有している。フォトダイオード２１は、照明器具１０の外部からの光を受光し、光を検出する。フォトダイオード２１のカソードは、電源部６に電気的に接続されている。フォトダイオード２１は、電源部６により電圧を印加されている。抵抗２２の一端はフォトダイオード２１のアノードに電気的に接続されており、抵抗２２の他端は接地されている。フォトダイオード２１と抵抗２２との間には、制御部３の入力端子３０１が電気的に接続されている。
【００２０】
フォトダイオード２１は、受光量が大きいほど大きい直流電流を抵抗２２に流す。これにより、抵抗２２の両端電圧である直流電圧（電圧Ｖ１：図４参照）は、受光量が大きいほど大きくなる。つまり、光電変換部２は、受光量が大きいほど大きい電圧Ｖ１（電気量）を生じ、電圧Ｖ１を有する検出信号Ｓｉｇ２を、制御部３に出力する。言い換えると、光電変換部２から制御部３に出力される検出信号Ｓｉｇ２の電圧はＶ１である。なお、光電変換部２は、フォトダイオード２１に代えて、例えば、フォトトランジスタ又はフォトレジスタ（photoregistor）を有していてもよい。
【００２１】
制御部３は、コンピュータ（マイクロコンピュータ）により構成されている。制御部３は、プロセッサ３１と、メモリ３２と、通信部３３と、Ａ／Ｄコンバータ３４と、を含む。また、制御部３は、入力端子３０１と、電源端子３０２と、出力端子３０３と、を更に含む。制御部３には、電源端子３０２を介して、電源部６から電圧が印加される。出力端子３０３は、電源部６の電源制御回路に電気的に接続されている。
【００２２】
プロセッサ３１は、例えば、ＣＰＵ（Central Processing Unit）である。メモリ３２には、プログラムが記憶されている。メモリ３２に記憶されたプログラムをプロセッサ３１が実行することにより、制御部３としての機能が実現される。また、メモリ３２には、後述の点灯閾値ＴＬ１、消灯閾値ＴＥ１、及び、時間Ｔ１〜Ｔ６が記憶されている。通信部３３は、外部からの信号の入力を受け付ける。Ａ／Ｄコンバータ３４は、入力端子３０１から入力された検出信号Ｓｉｇ２が有する電圧Ｖ１をデジタル量に変換する。  
【００２３】
制御部３は、外部電源２０から光源７に供給される電力を制御することにより、光源７の明るさを制御する。より詳細には、制御部３は、光源７に流すべき目標電流値を指示する調光信号Ｓｉｇ１を、電源部６の電源制御回路に入力する。電源制御回路は、調光信号Ｓｉｇ１に基づいて、降圧チョッパ回路をＰＷＭ（Pulse Width Modulation）制御することにより、光源７に流す電流を目標電流値にする。これにより、光源７は、目標電流値に応じた所定の明るさに調光される。光源７の明るさは、例えば、光源７から放射された光が通るグローブ８１（図２参照）の表面の照度により定義される。
【００２４】
制御部３は、このように外部電源２０から光源７に供給される電力を制御することにより、光源７を点灯させたり、光源７を消灯させたりする。制御部３は、光源７を点灯させた後、さらに光源７に流す電流値を変化させて、光源７の明るさを変化させる（調光する）こともできる。
【００２５】
制御部３は、動作モードとして、通常モードと、強制点灯モードと、を有する。制御部３は、これら２つの動作モードを切り替えて動作する。制御部３は、動作モードが通常モードのとき、光電変換部２で検出された電圧Ｖ１に基づいて、光源７を点灯させたり、消灯させたりする。すなわち、電圧Ｖ１が点灯閾値ＴＬ１（図４参照）を下回ったときに、制御部３は、光源７を点灯させる。電圧Ｖ１が消灯閾値ＴＥ１（図４参照）を上回ったときに、制御部３は、光源７を消灯させる。消灯閾値ＴＥ１は、点灯閾値ＴＬ１より大きい値である。制御部３は、動作モードが強制点灯モードに切り替わると、時間Ｔ５の間、電圧Ｖ１の大きさに関係なく光源７を点灯させ続ける。
【００２６】
電圧Ｖ１を有する検出信号Ｓｉｇ２は、連続して又は間欠的に制御部３に入力されている。制御部３は、光源７を点灯又は消灯させる制御を、直近に入力された検出信号Ｓｉｇ２の電圧Ｖ１に基づいて行う。
【００２７】
上述した通り、制御部３は、コンピュータにより構成されている。プロセッサ３１で実行されるプログラムは、メモリ３２に予め記録されていてもよいが、電気通信回線を通じて提供されてもよいし、コンピュータで読み取り可能なメモリカード、光学ディスク、ハードディスクドライブ（磁気ディスク）等の非一時的記録媒体に記録されて提供されてもよい。プロセッサ３１は、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。 
【００２８】
また、制御部３は、プログラムを含む信号を通信部３３で受信してもよい。例えば、通信部３３は、外部機器と赤外線通信を行うことにより、プログラムを含む信号を受信する。通信部３３が受信する信号は、プログラムに加えて又はプログラムに代えて、制御部３の動作に係るパラメータ（例えば、点灯閾値ＴＬ１及び消灯閾値ＴＥ１）を含んでいてもよい。
【００２９】
通信部３３と外部機器との通信方法は、赤外線通信に限定されず、例えば、電波等を利用した無線通信であってもよいし、有線通信であってもよい。また、通信部３３は、制御部３とは別体に設けられていてもよい。例えば、照明器具１０が電力柱等の支柱５０（図２参照）に取り付けられる場合に、地上付近に通信部３３が設けられていれば、有線通信のために通信部３３と外部機器とを接続することが容易である。
【００３０】
次に、図２を参照して、照明器具１０の構造について説明する。
【００３１】
照明器具１０は、点灯装置１（図１参照）と、光源７と、器具本体８と、に加えて、アーム８２と、筐体３０と、を更に備えている。器具本体８は、本体部８０と、グローブ８１と、を含む。
【００３２】
本体部８０は、合成樹脂により、前面が開口した長尺の矩形箱状に形成されている。なお、本体部８０は、アルミニウム又はアルミニウム合金を材料として、ダイカストにより形成されていてもよい。
【００３３】
グローブ８１は、透光性を有する合成樹脂（例えば、アクリル樹脂）により、半円筒状に形成されている。グローブ８１は、長手方向の第一端部（図２における上端部）に一対のヒンジ部８１０を有している。一対のヒンジ部８１０は、一対の軸に引っ掛けられている。一対の軸は、半円筒状に形成されており、本体部８０の長手方向の一端部（図２における上端部）に設けられている。つまり、グローブ８１は、本体部８０の前面開口を塞ぐ閉位置（図２に示す位置）と、本体部８０の前面開口を開放する開位置との間で回転可能に、本体部８０に取り付けられている。グローブ８１は、グローブ８１の長手方向における一対のヒンジ部８１０側の第一端部とは反対側の第二端部（図２における下端部）において、本体部８０にねじ止めされている。これにより、グローブ８１は、閉位置にある状態が維持されるように本体部８０に固定されている。
【００３４】
器具本体８は、点灯装置１（図１参照）と、点灯装置１を収容する筐体３０と、複数（図２では８つ）のＬＥＤ素子７０と、複数のＬＥＤ素子７０を実装した基板７１と、を収容している。点灯装置１は、筐体３０に収容された状態で、器具本体８内の長手方向の先端（上端）付近に配置されている。また、フォトダイオード２１は、筐体３０の内部に収容され、筐体３０の上端付近に配置されている。筐体３０のうち、フォトダイオード２１の受光面２１０と向かい合う面には、開口部が設けられている。基板７１は、器具本体８内の下端付近に配置され、器具本体８に保持されている。すなわち、フォトダイオード２１と光源７とは、筐体３０により隔てられており、フォトダイオード２１は、光源７から離れて設けられている。また、フォトダイオード２１の受光面２１０は、基板７１の厚み方向に沿っており、基板７１側とは反対側を向いている。このように、フォトダイオード２１は、光源７から放射される光を受光しにくいように配置されている。光源７から放射される光は、グローブ８１を透過して照明器具１０の外部に取り出される。
【００３５】
アーム８２は、固定部８２１を有している。固定部８２１は、長尺の矩形平板状に形成されている固定板８２１０と、固定板８２１０の長手方向に沿った両端縁から固定板８２１０の厚み方向に立ち上がる一対（図２では１つのみを図示）の側壁８２１１と、を有している。
【００３６】
固定板８２１０は、だるま孔（長円状の孔と、長円状の孔の長手方向に繋がった円状の孔とで構成される孔）からなる第一ねじ挿通孔８２１２と、丸孔からなる第二ねじ挿通孔と、半円状のねじ挿通溝とを有している。また、固定部８２１の一対の側壁８２１１には、矩形の挿通孔８２１５がそれぞれ設けられている。
【００３７】
アーム８２の固定部８２１は、取付金具９を介して支柱５０に固定される。取付金具９は、鋼板等の板材により形成されている。取付金具９は、矩形平板状の取付板９０と、取付板９０の長手方向に沿った両端縁から取付板９０の厚み方向に立ち上がる一対の側板９１とを有する角樋状に形成されている。取付板９０には、３つのねじ孔が設けられている。また、一対の側板９１には、矩形の取付孔９１０がそれぞれ設けられている。
【００３８】
続いて、照明器具１０の施工手順を説明する。まず、施工作業を行う作業者は、取付金具９の各側板９１の取付孔９１０に通した取付バンド９２を支柱５０に巻くことで、取付金具９を支柱５０に固定する。続いて、作業者は、取付金具９に、支柱５０側とは反対側からアーム８２の固定部８２１を被せる。それから、作業者は、３本のねじ９３、９４、９５を、固定部８２１の第一ねじ挿通孔８２１２、第二ねじ挿通孔、ねじ挿通溝に通し、さらに、取付金具９の取付板９０の３つのねじ孔にねじ込む。このように、照明器具１０は、取付金具９を介して支柱５０に取り付けられる。ただし、作業者は、取付金具９を用いずに、アーム８２の固定部８２１に設けられている挿通孔８２１５に取付バンド９２を通し、固定部８２１を直接、支柱５０に固定することにより、照明器具１０を支柱５０に取り付けることもできる。
【００３９】
次に、図３を参照して、点灯装置１の動作について説明する。
【００４０】
点灯装置１の電源スイッチをオンすると（ステップＳ１）、外部電源２０から電源部６を介して制御部３及び光電変換部２に電圧が印加される。これにより、制御部３が起動し、光電変換部２は、受光量に応じた電圧Ｖ１を有する検出信号Ｓｉｇ２を制御部３に出力する。まず、制御部３は、動作モードを通常モードにする（ステップＳ２）。電源スイッチをオンした時点では、制御部３は、光源７を消灯させている（ステップＳ３）。制御部３は、光電変換部２で検出された電圧Ｖ１と、点灯閾値ＴＬ１とを比較する（ステップＳ４）。電圧Ｖ１が点灯閾値ＴＬ１を上回っている間は、制御部３は、光源７を消灯させ続ける。電圧Ｖ１が点灯閾値ＴＬ１以下になると、制御部３は、光源７を点灯させる（ステップＳ５）。
【００４１】
ステップＳ５において、制御部３は、光源７を点灯させた後、光源７の明るさを変化させる明るさ制御を行う。すなわち、制御部３は、電源部６から光源７への出力電流を変化させることで、光源７の明るさを変化させる。より詳細には、明るさ制御において、制御部３は、時間Ｔ３の間、光源７の明るさを単調に増加させる。更に詳細には、明るさ制御において、制御部３は、光源７の調光レベルが時間に比例するように、調光レベルを消灯時の調光レベル（０％調光）から規定の調光レベルへ変化させる。時間Ｔ３は、例えば、３秒間である。規定の調光レベルは、本実施形態では、全点灯時の調光レベル（１００％調光）である。すなわち、時間Ｔ３が経過した時点で、光源７の明るさは、全点灯時の明るさとなる。全点灯とは、光源７の各ＬＥＤ素子７０に各ＬＥＤ素子７０の定格電流が流れて各ＬＥＤ素子７０が点灯することである。
【００４２】
また、制御部３が明るさ制御において光源７の明るさを単調に増加させている間も、光電変換部２は、受光量に応じて電圧Ｖ１を生じ、電圧Ｖ１を有する検出信号Ｓｉｇ２を制御部３に出力する。制御部３が光源７を点灯させてから時間Ｔ１が経過したときに光電変換部２で生じる電圧Ｖ１を、第一の電圧Ｖ１［Ｔ１］とする。制御部３が光源７を点灯させてから時間Ｔ２が経過したときに光電変換部２で生じる電圧Ｖ１を、第二の電圧Ｖ１［Ｔ２］とする。時間Ｔ１及び時間Ｔ２は、時間Ｔ３よりも短い時間である。時間Ｔ２は時間Ｔ１よりも長い時間であり、第二の電圧Ｖ１［Ｔ２］は第一の電圧Ｖ１［Ｔ１］よりも後に光電変換部２で生じる電圧である。時間Ｔ１は例えば１秒であり、時間Ｔ２は例えば２秒である。制御部３は、第一の電圧Ｖ１［Ｔ１］及び第二の電圧Ｖ１［Ｔ２］を検出信号Ｓｉｇ２から取得し、メモリ３２に記憶する。
【００４３】
時間Ｔ３が経過して光源７が全点灯すると、制御部３は、時間Ｔ４の間、光源７を全点灯させ続ける（ステップＳ６）。
【００４４】
時間Ｔ４が経過すると、制御部３は、ステップＳ５における電圧Ｖ１の変化が明るさ制御に追随しているか否かを判定する（ステップＳ７）。すなわち、制御部３は、明るさ制御を行っているときに光電変換部２で生じた第一の電圧Ｖ１［Ｔ１］及び第二の電圧Ｖ１［Ｔ２］を用いて、電圧Ｖ１の変化が明るさ制御に追随しているか否かを判定する。第二の電圧Ｖ１［Ｔ２］から第一の電圧Ｖ１［Ｔ１］を引いた値が、零よりも大きく、消灯閾値ＴＥ１から点灯閾値ＴＬ１を引いた値よりも小さい場合に、制御部３は電圧Ｖ１の変化が明るさ制御に追随していると判定し、通常モードから強制点灯モードに切り替える（ステップＳ８）。第二の電圧Ｖ１［Ｔ２］から第一の電圧Ｖ１［Ｔ１］を引いた値が零以下の場合及び消灯閾値ＴＥ１から点灯閾値ＴＬ１を引いた値以上の場合は、制御部３は電圧Ｖ１の変化が明るさ制御に追随していると判定せず、光源７を所定の明るさ（例えば、全点灯時の明るさ）で点灯した状態にする。
【００４５】
強制点灯モードにおいて、制御部３は、時間Ｔ５の間、光源７を点灯させ続ける（ステップＳ９）。時間Ｔ５は、例えば、日没から日の出までの間の時間よりも長い時間である。したがって、日没時に通常モードから強制点灯モードに切り替わった場合でも、制御部３は、日の出まで光源７を点灯させ続けることができる。時間Ｔ５は、例えば、１５時間である。時間Ｔ５が経過すると、制御部３は、強制点灯モードから通常モードに切り替える（ステップＳ２）。
【００４６】
また、通常モードにおけるステップＳ７において、電圧Ｖ１の変化が明るさ制御に追随していると制御部３が判定しない場合は、制御部３は、通常モードを継続し、電圧Ｖ１が消灯閾値ＴＥ１を上回るまで、電圧Ｖ１と消灯閾値ＴＥ１とを繰り返し比較する（ステップＳ１０）。電圧Ｖ１が消灯閾値ＴＥ１を上回ると、制御部３は、時間Ｔ６の間、光源７を点灯させたまま待機する（ステップＳ１１）。時間Ｔ６が経過すると、制御部３は、光源７を消灯させる（ステップＳ３）。時間Ｔ６は、例えば、１５秒である。
【００４７】
上述した通り、制御部３は、電圧Ｖ１の変化が明るさ制御に追随しているか否かを判定するので、光を検出し電圧Ｖ１を出力する光電変換部２のほかに、点灯装置１にセンサを設ける必要がないという利点がある。
【００４８】
ところで、光電変換部２で生じる電圧Ｖ１は、点灯装置１の周囲の状況によって変化することがある。例えば、点灯装置１及び光源７を収容する器具本体８に雪が付着すると、点灯した光源７からの光の一部が乱反射して光電変換部２で受光されることがある。これにより、光電変換部２で生じる電圧Ｖ１が、器具本体８に雪が付着していない場合よりも増加することがある。また、虫又は鳥等が光電変換部２の前を横切ったり、光源７が点灯するかどうか試すために作業者が光電変換部２を手等で覆ったりすることにより、光電変換部２に入射する光が遮られることがある。これにより、光電変換部２で生じる電圧Ｖ１が低下することがある。以下では、点灯装置１の周囲の状況に応じた点灯装置１の動作例を、図４〜８を参照して説明する。
【００４９】
図４〜８の横軸は時刻を表す。図４〜８の各々において、上から順に、照明器具１０の周囲の明るさ、電圧Ｖ１、電源部６から光源７への出力電流、及び、制御部３における図３のフローチャートに対応する動作を表す。図４〜８で示す照明器具１０の周囲の明るさには、光源７からの光による明るさは含まれない。照明器具１０の周囲の明るさを検出することは必須ではないが、照明器具１０の周囲の明るさは、例えば、照明器具１０の周囲であって光源７からの光が入射しない位置に設けられたフォトダイオード等により検出することができる。図４〜８で示す各ステップ（ステップＳ４等）は、図３で示す各ステップと同じである。
【００５０】
図４は、器具本体８に雪が付着したり、光電変換部２に入射する光が遮られたりしない場合の点灯装置１の動作例を示している。
【００５１】
光電変換部２で生じる電圧Ｖ１は、日が沈み、光電変換部２の受光量が低下するにつれて低下する。この間、制御部３は、ステップＳ４において電圧Ｖ１と点灯閾値ＴＬ１とを比較している。電圧Ｖ１が点灯閾値ＴＬ１以下になると、制御部３は、光源７を点灯させ、明るさ制御において光源７の明るさを徐々に増加させる（ステップＳ５）。すなわち、制御部３は、電源部６から光源７への出力電流を徐々に増加させる。光源７が消灯しているときは、電源部６から光源７への出力電流は、零アンペアである。
【００５２】
制御部３は、光源７を点灯させてから時間Ｔ１が経過したときの第一の電圧Ｖ１［Ｔ１］と、光源７を点灯させてから時間Ｔ２が経過したときの第二の電圧Ｖ１［Ｔ２］とを、メモリ３２に記憶する。周囲の明るさは、時間Ｔ２程度の短い時間においては、略一定に推移する。したがって、図４の動作例では、第一の電圧Ｖ１［Ｔ１］は第二の電圧Ｖ１［Ｔ２］に等しい。
【００５３】
制御部３が光源７を点灯させてから時間Ｔ３が経過すると、制御部３は、時間Ｔ４の間、光源７を全点灯させ続ける（ステップＳ６）。時間Ｔ４が経過すると、制御部３は、第二の電圧Ｖ１［Ｔ２］から第一の電圧Ｖ１［Ｔ１］を引いた値を用いて、電圧Ｖ１の変化が明るさ制御に追随しているか否かを判定する（ステップＳ７）。第二の電圧Ｖ１［Ｔ２］から第一の電圧Ｖ１［Ｔ１］を引いた値は零なので、制御部３は、電圧Ｖ１の変化が明るさ制御に追随していると判定せず、通常モードを継続する。すなわち、制御部３は、電圧Ｖ１が消灯閾値ＴＥ１を上回るまで、電圧Ｖ１と消灯閾値ＴＥ１とを比較し続ける（ステップＳ１０）。
【００５４】
日が昇り、光電変換部２の受光量が増加するにつれて、電圧Ｖ１が増加し、やがて電圧Ｖ１が消灯閾値ＴＥ１を上回る（ステップＳ１０：Ｙｅｓ）。したがって、時間Ｔ６経過後に、制御部３は、光源７を消灯させる（ステップＳ３）。
【００５５】
次に、図５は、器具本体８に雪が付着している場合の点灯装置１の動作例を示している。ステップＳ５において制御部３が光源７を点灯させるまでの点灯装置１の動作例は、図４の場合と同じである。
【００５６】
ステップＳ４において、電圧Ｖ１が点灯閾値ＴＬ１以下になると、制御部３は、光源７を点灯させ、明るさ制御において電源部６から光源７への出力電流を徐々に増加させる（ステップＳ５）。光源７から放射される光の一部は、器具本体８に付着した雪で乱反射し、光電変換部２で受光される。したがって、ステップＳ５で光源７が点灯してから、光源７への出力電流が徐々に増加するのに追随して、電圧Ｖ１が増加する。
【００５７】
制御部３は、光源７を点灯させてから時間Ｔ１が経過したときの第一の電圧Ｖ１［Ｔ１］と、光源７を点灯させてから時間Ｔ２が経過したときの第二の電圧Ｖ１［Ｔ２］とを、メモリ３２に記憶する。図５の動作例では、時間の経過につれて光源７への出力電流が増加するので、第二の電圧Ｖ１［Ｔ２］は、第一の電圧Ｖ１［Ｔ１］よりも大きい。
【００５８】
制御部３が光源７を点灯させてから時間Ｔ３が経過すると、制御部３は、時間Ｔ４の間、光源７を全点灯させ続ける（ステップＳ６）。光源７が全点灯して光源７の明るさが一定になってから時間Ｔ４が経過することにより、光電変換部２で生じる電圧Ｖ１の大きさが安定化する。時間Ｔ４が経過すると、制御部３は、第二の電圧Ｖ１［Ｔ２］から第一の電圧Ｖ１［Ｔ１］を引いた値を用いて、電圧Ｖ１の変化が明るさ制御に追随しているか否かを判定する（ステップＳ７）。図５の動作例では、第二の電圧Ｖ１［Ｔ２］から第一の電圧Ｖ１［Ｔ１］を引いた値は、零よりも大きく、消灯閾値ＴＥ１から点灯閾値ＴＬ１を引いた値よりも小さい。したがって、制御部３は、電圧Ｖ１の変化が明るさ制御に追随していると判定し、通常モードから強制点灯モードに切り替える（ステップＳ８）。
【００５９】
強制点灯モードにおいて、制御部３は、光源７を時間Ｔ５の間点灯させ続ける（ステップＳ９）。時間Ｔ５が経過すると、制御部３は、強制点灯モードから通常モードに切り替え（ステップＳ２）、光源７を消灯させる（ステップＳ３）。
【００６０】
ステップＳ２で強制点灯モードから通常モードに切り替わった後も器具本体８に雪が付着している場合等には、ステップＳ３の後、直ちに、制御部３の動作モードが通常モードから強制点灯モードに切り替わることもある。図５の動作例では、器具本体８に付着していた雪がステップＳ３の時点で無くなっているので、以後、制御部３は、通常モードで動作する。
【００６１】
第二の電圧Ｖ１［Ｔ２］から第一の電圧Ｖ１［Ｔ１］を引いた値が、消灯閾値ＴＥ１から点灯閾値ＴＬ１を引いた値以上であると、器具本体８に雪が付着している場合等であっても、制御部３は、通常モードから強制点灯モードに切り替えない。そのような事態が生じる場合は、光源７への出力電流の増加速度を低減させればよい。すなわち、時間Ｔ３をより大きくすればよい。あるいは、時間Ｔ２をより小さくする又は時間Ｔ１をより大きくすることにより、時間Ｔ２から時間Ｔ１を引いた値をより小さくすることで対応してもよい。ただし、時間Ｔ２は時間Ｔ１よりも大きい値にする。時間Ｔ１、Ｔ２又はＴ３を指定する信号が、通信部３３に入力されることにより、時間Ｔ１、Ｔ２又はＴ３が変更されればよい。
【００６２】
次に、図６は、日中に光電変換部２に入射する光が時間Ｔ１よりも短い時間、遮られる場合の点灯装置１の動作例を示している。
【００６３】
日中なので、電圧Ｖ１は消灯閾値ＴＥ１を上回っている。したがって、電圧Ｖ１は点灯閾値ＴＬ１を上回っており、ステップＳ４において、制御部３は光源７を消灯させたままにする。ある時点で光電変換部２に入射する光が遮られると、電圧Ｖ１が点灯閾値ＴＬ１以下となり、制御部３は、光源７を点灯させる（ステップＳ５）。
【００６４】
制御部３は、光源７を点灯させてから時間Ｔ１が経過したときの第一の電圧Ｖ１［Ｔ１］と、光源７を点灯させてから時間Ｔ２が経過したときの第二の電圧Ｖ１［Ｔ２］とを、メモリ３２に記憶する。制御部３が光源７を点灯させてから時間Ｔ１、Ｔ２が経過したときには、光電変換部２に入射する光が遮られていないので、電圧Ｖ１は、照明器具１０の周囲の明るさによって決まる。照明器具１０の周囲の明るさは、時間Ｔ２程度の短い時間においては、略一定に推移する。したがって、図６の動作例では、第一の電圧Ｖ１［Ｔ１］は第二の電圧Ｖ１［Ｔ２］に等しい。
【００６５】
制御部３が光源７を点灯させてから時間Ｔ３が経過すると、制御部３は、時間Ｔ４の間、光源７を全点灯させ続ける（ステップＳ６）。時間Ｔ４が経過すると、制御部３は、第二の電圧Ｖ１［Ｔ２］から第一の電圧Ｖ１［Ｔ１］を引いた値を用いて、電圧Ｖ１の変化が明るさ制御に追随しているか否かを判定する（ステップＳ７）。第二の電圧Ｖ１［Ｔ２］から第一の電圧Ｖ１［Ｔ１］を引いた値は零なので、制御部３は、電圧Ｖ１の変化が明るさ制御に追随していると判定せず、通常モードを継続し、電圧Ｖ１と消灯閾値ＴＥ１とを比較する（ステップＳ１０）。光電変換部２に入射する光が遮られていないので、電圧Ｖ１は消灯閾値ＴＥ１を上回っており、制御部３は、時間Ｔ６経過後に、光源７を消灯させる（ステップＳ３）。
【００６６】
次に、図７は、日中に光電変換部２に入射する光が時間Ｔ１よりも長く時間Ｔ２よりも短い時間、遮られる場合の点灯装置１の動作例を示している。
【００６７】
日中なので、電圧Ｖ１は消灯閾値ＴＥ１を上回っている。したがって、電圧Ｖ１は点灯閾値ＴＬ１を上回っており、ステップＳ４において、制御部３は光源７を消灯させたままにする。ある時点で光電変換部２に入射する光が遮られると、電圧Ｖ１が点灯閾値ＴＬ１以下となり、制御部３は、光源７を点灯させる（ステップＳ５）。
【００６８】
制御部３は、光源７を点灯させてから時間Ｔ１が経過したときの第一の電圧Ｖ１［Ｔ１］と、光源７を点灯させてから時間Ｔ２が経過したときの第二の電圧Ｖ１［Ｔ２］とを、メモリ３２に記憶する。時間Ｔ１が経過したときは、光電変換部２に入射する光が遮られているので、第一の電圧Ｖ１［Ｔ１］は、点灯閾値ＴＬ１以下である。時間Ｔ２が経過したときは、光電変換部２に入射する光が遮られていないので、第二の電圧Ｖ１［Ｔ１］は、消灯閾値ＴＥ１を上回っている。
【００６９】
制御部３が光源７を点灯させてから時間Ｔ３が経過すると、制御部３は、時間Ｔ４の間、光源７を全点灯させ続ける（ステップＳ６）。時間Ｔ４が経過すると、制御部３は、第二の電圧Ｖ１［Ｔ２］から第一の電圧Ｖ１［Ｔ１］を引いた値を用いて、電圧Ｖ１の変化が明るさ制御に追随しているか否かを判定する（ステップＳ７）。第二の電圧Ｖ１［Ｔ２］から第一の電圧Ｖ１［Ｔ１］を引いた値は、消灯閾値ＴＥ１から点灯閾値ＴＬ１を引いた値以上なので、制御部３は、電圧Ｖ１の変化が明るさ制御に追随していると判定せず、通常モードを継続し、電圧Ｖ１と消灯閾値ＴＥ１とを比較する（ステップＳ１０）。光電変換部２に入射する光が遮られていないので、電圧Ｖ１は消灯閾値ＴＥ１を上回っており、制御部３は、時間Ｔ６経過後に、光源７を消灯させる（ステップＳ３）。
【００７０】
次に、図８は、日中に光電変換部２に入射する光が時間Ｔ２よりも長い時間、遮られる場合の点灯装置１の動作例を示している。
【００７１】
日中なので、電圧Ｖ１は消灯閾値ＴＥ１を上回っている。したがって、電圧Ｖ１は点灯閾値ＴＬ１を上回っており、ステップＳ４において、制御部３は光源７を消灯させたままにする。ある時点で光電変換部２に入射する光が遮られると、電圧Ｖ１が点灯閾値ＴＬ１以下となり、制御部３は、光源７を点灯させる（ステップＳ５）。
【００７２】
制御部３は、光源７を点灯させてから時間Ｔ１が経過したときの第一の電圧Ｖ１［Ｔ１］と、光源７を点灯させてから時間Ｔ２が経過したときの第二の電圧Ｖ１［Ｔ２］とを、メモリ３２に記憶する。制御部３が光源７を点灯させてから時間Ｔ１、Ｔ２が経過したときには、光電変換部２に入射する光が遮られているので、電圧Ｖ１は、略一定に推移する。したがって、図８の動作例では、第一の電圧Ｖ１［Ｔ１］は第二の電圧Ｖ１［Ｔ２］に等しい。
【００７３】
制御部３が光源７を点灯させてから時間Ｔ３が経過すると、制御部３は、時間Ｔ４の間、光源７を全点灯させ続ける（ステップＳ６）。時間Ｔ４が経過すると、制御部３は、第二の電圧Ｖ１［Ｔ２］から第一の電圧Ｖ１［Ｔ１］を引いた値を用いて、電圧Ｖ１の変化が明るさ制御に追随しているか否かを判定する（ステップＳ７）。第二の電圧Ｖ１［Ｔ２］から第一の電圧Ｖ１［Ｔ１］を引いた値は零なので、制御部３は、電圧Ｖ１の変化が明るさ制御に追随していると判定せず、通常モードを継続し、電圧Ｖ１と消灯閾値ＴＥ１とを比較する（ステップＳ１０）。光電変換部２に入射する光が遮られていないので、電圧Ｖ１は消灯閾値ＴＥ１を上回っており、制御部３は、時間Ｔ６経過後に、光源７を消灯させる（ステップＳ３）。
【００７４】
（変形例１）
次に、本実施形態の変形例１について説明する。
【００７５】
制御部３は、明るさ制御において、光源７の明るさを段階的に変化させてもよい。さらに、制御部３は、明るさ制御において、光源７を最終的に規定の明るさ（例えば、全点灯時の明るさ）で点灯した状態にしてもよい。例えば、制御部３は、明るさ制御において、光源７を点灯させてから所定の第一時間が経過したときに光源７の明るさを増加させ、その後所定の第二時間が経過するまで光源７の明るさを一定に保ち、第二時間が経過したときに光源７の明るさを更に増加させてもよい。このように、制御部３は、明るさ制御において、電源部６から光源７への出力電流を階段状に単調増加させることにより、光源７の明るさを階段状に単調増加させ、光源７を最終的に規定の明るさで点灯した状態にしてもよい。
【００７６】
制御部３は、コンピュータによるデジタル回路で構成されており、クロック信号に基づいて動作する。したがって、先に述べた実施形態の明るさ制御でも、微視的には、制御部３は、光源７の明るさを時間に比例して完全に線形に増加させるのではなく、階段状に単調増加させる。本変形例で光源７の明るさを階段状に単調増加させることと、実施形態との違いは、以下の通りである。すなわち、光源７が明るさ制御されることにより、本変形例では、光源７を見る人が光源７の明るさの変化を非連続であると感じ、実施形態では、光源７を見る人が光源７の明るさの変化を連続であると感じるという違いである。あるいは、本変形例で光源７の明るさを階段状に単調増加させることと、実施形態との違いは、本変形例では実施形態よりも、明るさを１回変化させるごとの明るさの変化量が大きいという違いである。
【００７７】
（その他の変形例）
次に、本実施形態のその他の変形例を列挙する。以下の変形例は、適宜組み合わせて実現されてもよい。さらに、以下の変形例は、変形例１と適宜組み合わせて実現されてもよい。
【００７８】
ステップＳ７において、電圧Ｖ１の変化が明るさ制御に追随しているか否かを制御部３が判定するための処理の内容は、第二の電圧Ｖ１［Ｔ２］から第一の電圧Ｖ１［Ｔ１］を引いた値を、零と比較し、消灯閾値ＴＥ１から点灯閾値ＴＬ１を引いた値と比較することに限定されない。電圧Ｖ１の変化が明るさ制御に追随しているか否かを判定するために、制御部３は、第二の電圧Ｖ１［Ｔ２］から第一の電圧Ｖ１［Ｔ１］を引いた値を、消灯閾値ＴＥ１から点灯閾値ＴＬ１を引いた値及び零とは異なる閾値と比較してもよい。例えば、制御部３は、閾値としての零に代えて、零よりも大きい値を用いてもよい。
【００７９】
あるいは、ステップＳ７において、制御部３は、第一の電圧Ｖ１［Ｔ１］と、第一の電圧Ｖ１［Ｔ１］が光電変換部２で生じたときの電源部６から光源７への出力電流（図４参照）との大きさ比を、規定の閾値と比較してもよい。つまり、制御部３は、第一の電圧Ｖ１［Ｔ１］だけを用いて、電圧Ｖ１の変化が明るさ制御に追随しているか否かを判定してもよい。また、これに加えて、制御部３は、第二の電圧Ｖ１［Ｔ２］と、第二の電圧Ｖ１［Ｔ２］が光電変換部２で生じたときの電源部６から光源７への出力電流（図４参照）との大きさ比を、上記規定の閾値と比較してもよい。
【００８０】
また、ステップＳ７において、制御部３は、第一の電圧Ｖ１［Ｔ１］と、第二の電圧Ｖ１［Ｔ２］とに加えて、これらとは別の電圧（以下、第三の電圧と称す。）を更に用いて、電圧Ｖ１の変化が明るさ制御に追随しているか否かを判定してもよい。第三の電圧は、制御部３が光源７を点灯させてから時間Ｔ１及び時間Ｔ２とは異なる時間が経過したときに光電変換部２で生じる電圧である。この場合に、制御部３は例えば、第一乃至第三の電圧を光電変換部２で生じた時刻ごとにプロットしたグラフの近似直線の傾きを、所定の閾値と比較することにより、電圧Ｖ１の変化が明るさ制御に追随しているか否かを判定してもよい。なお、制御部３は、実際にグラフを作成することなく、近似直線の傾きを算出してもよい。あるいは、制御部３は、第一乃至第三の電圧について個別に、該当する電圧が光電変換部２で生じたときの電源部６から光源７への出力電流との大きさ比を算出し、算出した値を、上記規定の閾値と比較してもよい。
【００８１】
また、制御部３は、光源７を点灯させてから、互いに異なる時刻に光電変換部２で生じる４つ以上の電圧Ｖ１に基づいて、電圧Ｖ１の変化が明るさ制御に追随しているか否かを判定してもよい。
【００８２】
また、制御部３は、明るさ制御において、光源７が点灯した状態と消灯した状態とを切り替えることにより、光源７の明るさを変化させてもよい。また、制御部３は、光源７を点灯させているときに取得した電圧Ｖ１が消灯閾値ＴＥ１よりも小さい場合に、電圧Ｖ１の変化が明るさ制御に追随していないと判定してもよい。また、制御部３は、光源７を消灯させているときに取得した電圧Ｖ１が点灯閾値ＴＬ１よりも大きい場合に、電圧Ｖ１の変化が明るさ制御に追随していないと判定してもよい。
【００８３】
また、制御部３は、明るさ制御において、光源７の明るさを段階的に増加又は減少させてもよいし、光源７の明るさを段階的に増加させることと、段階的に減少させることとの両方を行ってもよい。
【００８４】
また、制御部３は、明るさ制御において、光源７の明るさを連続的に増加又は減少させてもよいし、光源７の明るさを連続的に増加させることと、連続的に減少させることとの両方を行ってもよい。
【００８５】
また、制御部３は、明るさ制御において、光源７の明るさを、正弦波の絶対値又はのこぎり波のように変化させてもよい。
【００８６】
また、制御部３は、コンピュータにより構成されていることに限定されない。制御部３は、複数のディスクリート部品の組み合わせにより構成されていてもよい。
【００８７】
また、光源７、アーム８２及び筐体３０は、照明器具１０に必須の構成ではない。また、フィルタ回路４、整流回路５及び電源部６は、点灯装置１に必須の構成ではない。
【００８８】
また、光電変換部２から制御部３へ出力される電気量は、電圧Ｖ１に限定されない。例えば、電気量は、光電変換部２のフォトダイオード２１が光を受光することにより生じる電流であってもよい。
【００８９】
（実施形態及び変形例のまとめ）
以上説明したように、第１の態様に係る点灯装置１は、制御部３と、光電変換部２と、を備える。制御部３は、電源（外部電源２０）から光源７に供給される電力を制御することにより、光源７の明るさを制御する。光電変換部２は、外部からの光を受光し、受光量が大きいほど大きい電気量（電圧Ｖ１）を生じる。光電変換部２は、電気量を有する検出信号Ｓｉｇ２を制御部３に出力する。制御部３は、通常モードと、強制点灯モードと、を切り替えて動作する。制御部３は、通常モードでは、電気量が点灯閾値ＴＬ１を下回ったときに光源７を点灯させ、電気量が消灯閾値ＴＥ１を上回ったときに光源７を消灯させる。消灯閾値ＴＥ１は、点灯閾値ＴＬ１以上の値である。制御部３は、強制点灯モードでは、電気量の大きさに関係なく光源７を点灯させ続ける。制御部３は、通常モードでの動作中において、電気量が点灯閾値ＴＬ１を下回った場合に、消灯している光源７を点灯させた後、光源７の明るさを変化させる明るさ制御を行い、電気量の変化が明るさ制御に追随していると判定すると、通常モードから強制点灯モードに切り替え、電気量の変化が明るさ制御に追随していると判定しない場合は、光源７を所定の明るさで点灯した状態にする。
【００９０】
点灯装置１及び光源７を収容又は保持する器具本体８に雪が付着した場合等には、点灯した光源７からの光の一部が雪で乱反射して光電変換部２で受光されることがある。これにより、光電変換部２で生じる電気量（電圧Ｖ１）が、光源７から放射される光量の変化に追随して変化することがある。上記の構成によれば、制御部３は、光源７を点灯させた後、明るさ制御を行い、電気量の変化が明るさ制御に追随していると判定すると、強制点灯モードにより光源７を点灯させ続ける。したがって、点灯装置１では、器具本体８に雪が付着した場合等であっても、光源７が点滅し続ける可能性を低減することができる。
【００９１】
ところで、虫又は鳥等が光電変換部２の前を横切ったり、光源７が点灯するかどうか試すために作業者が光電変換部２を手等で覆ったりすることにより、光電変換部２に入射する光が遮られることがある。光が遮られると、光電変換部２で生じる電気量は、光電変換部２の周囲の明るさに応じた値ではなくなるが、光が遮られる状態が終了すると、光電変換部２で生じる電気量は、再び光電変換部２の周囲の明るさに応じた値となる。したがって、このような場合は、強制点灯モードで光源７を点灯させる必要が無い。そこで、制御部３は、電気量の変化が明るさ制御に追随していると判定した場合にのみ通常モードから強制点灯モードに切り替える。光電変換部２に入射する光が遮られる場合は、電気量の変化は明るさ制御に追随しないので、通常モードから強制点灯モードに切り替わる可能性を低減できる。
【００９２】
また、第２の態様に係る点灯装置１では、第１の態様において、制御部３は、明るさ制御において、光源７の明るさを単調に増加させる。
【００９３】
上記の構成によれば、制御部３は、明るさ制御において、光源７の明るさを単調に増加させるので、制御部３は、明るさ制御を行いながらも、光源７を点灯させ続けることができる。
【００９４】
また、第３の態様に係る点灯装置１では、第１の態様において、制御部３は、明るさ制御において、光源７の明るさを段階的に変化させ、最終的に光源７を規定の明るさで点灯した状態にする。
【００９５】
上記の構成によれば、制御部３は、明るさ制御において、光源７の明るさを段階的に変化させ、最終的に光源７を規定の明るさで点灯した状態にするので、制御部３は、明るさ制御を行いながらも、光源７を点灯させ続けることができる。
【００９６】
また、第４の態様に係る点灯装置１では、第２の態様において、消灯閾値ＴＥ１は、点灯閾値ＴＬ１よりも大きい。制御部３は、通常モードでの動作中において、第一の電気量（第一の電圧Ｖ１［Ｔ１］）と、第二の電気量（第二の電圧Ｖ１［Ｔ２］）と、を検出信号Ｓｉｇ２から取得する。第一の電気量は、明るさ制御において光源７の明るさを単調に増加させる間に光電変換部２で生じる電気量（電圧Ｖ１）である。第二の電気量は、第一の電気量よりも後に光電変換部２で生じる電気量である。制御部３は、第二の電気量から第一の電気量を引いた値が、零以下の場合は、通常モードから強制点灯モードに切り替えない。
【００９７】
日中に光電変換部２に入射する光が遮られると、光が遮られている間は電気量（電圧Ｖ１）が一定に推移する可能性が高い。また、光が遮られる状態が終わると、電気量は、光電変換部２への光が遮られているときとは異なる値で一定に推移する可能性が高い。したがって、上記の構成によれば、日中に光電変換部２に入射する光が遮られたときに通常モードから強制点灯モードに切り替わる可能性を更に低減できる。
【００９８】
また、第５の態様に係る点灯装置１では、第２又は４の態様において、消灯閾値ＴＥ１は、点灯閾値ＴＬ１よりも大きい。制御部３は、通常モードでの動作中において、第一の電気量（第一の電圧Ｖ１［Ｔ１］）と、第二の電気量（第二の電圧Ｖ１［Ｔ２］）と、を検出信号Ｓｉｇ２から取得する。第一の電気量は、明るさ制御において光源７の明るさを単調に増加させる間に光電変換部２で生じる電気量（電圧Ｖ１）である。第二の電気量は、第一の電気量よりも後に光電変換部２で生じる電気量である。制御部３は、第二の電気量から第一の電気量を引いた値が、消灯閾値ＴＥ１から点灯閾値ＴＬ１を引いた値以上の場合は、通常モードから強制点灯モードに切り替えない。
【００９９】
日中に光電変換部２に入射する光が遮られると、電気量（電圧Ｖ１）は、点灯閾値ＴＬ１よりも小さい値となる場合がある。さらに、光が遮られる状態が終わると、電気量は、消灯閾値ＴＥ１よりも大きい値となる場合がある。したがって、上記の構成によれば、日中に光電変換部２に入射する光が遮られたときに通常モードから強制点灯モードに切り替わる可能性を更に低減できる。
【０１００】
また、第６の態様に係る点灯装置１では、第１〜５の態様のいずれか１つにおいて、制御部３は、コンピュータを含む。コンピュータは、コンピュータを制御部３として機能させるためのプログラムを実行するプロセッサ３１と、プログラムを記憶するメモリ３２と、外部からの信号の入力を受け付ける通信部３３と、を有する。
【０１０１】
上記の構成によれば、作業者は、通信部３３に信号を入力して、制御部３の動作に係るパラメータ（例えば、点灯閾値ＴＬ１及び消灯閾値ＴＥ１）を変更したり、プロセッサ３１で実行されるプログラムを変更したりすることができる。すなわち、制御部３の動作を容易に変更することができる。
【０１０２】
また、第７の態様に係る照明器具１０は、第１〜６の態様のいずれか１つに係る点灯装置１と、点灯装置１を収容する器具本体８と、を備える。
【０１０３】
上記の構成によれば、制御部３は、光源７を点灯させた後、明るさ制御を行い、電気量（電圧Ｖ１）の変化が明るさ制御に追随していると判定すると、強制点灯モードにより光源７を点灯させ続ける。したがって、点灯装置１では、器具本体８に雪が付着した場合等であっても、光源７が点滅し続ける可能性を低減することができる。また、光電変換部２に入射する光が遮られる場合は、電気量の変化は明るさ制御に追随しないので、通常モードから強制点灯モードに切り替わる可能性を低減できる。
【０１０４】
また、第８の態様に係るプログラムは、コンピュータを第１〜６の態様のいずれか１つに係る制御部３として機能させる。
【０１０５】
上記の構成によれば、制御部３は、光源７を点灯させた後、明るさ制御を行い、電気量（電圧Ｖ１）の変化が明るさ制御に追随していると判定すると、強制点灯モードにより光源７を点灯させ続ける。したがって、点灯装置１では、器具本体８に雪が付着した場合等であっても、光源７が点滅し続ける可能性を低減することができる。また、光電変換部２に入射する光が遮られる場合は、電気量の変化は明るさ制御に追随しないので、通常モードから強制点灯モードに切り替わる可能性を低減できる。
【０１０６】
第２〜６の態様に係る構成については、点灯装置１に必須の構成ではなく、適宜省略可能である。
【符号の説明】
【０１０７】
１  点灯装置
２  光電変換部
３  制御部
７  光源
８  器具本体
１０  照明器具
２０  外部電源（電源）
３１  プロセッサ
３２  メモリ
３３  通信部
Ｓｉｇ２  検出信号
ＴＥ１  消灯閾値
ＴＬ１  点灯閾値
Ｖ１  電圧（電気量）
Ｖ１［Ｔ１］  第一の電圧（第一の電気量）
Ｖ１［Ｔ２］  第二の電圧（第二の電気量）
【図１】
2019032981.tif 000003
【図２】
2019032981.tif 000004
【図３】
2019032981.tif 000005
【図４】
2019032981.tif 000006
【図５】
2019032981.tif 000007
【図６】
2019032981.tif 000008
【図７】
2019032981.tif 000009
【図８】
2019032981.tif 000010